(57)【要約】【課題】既設の建設用構造体を取り外すことなく植物の繁殖を抑制することができる突起部材、建設用構造体、および、防草機能追加方法を提供する。【解決手段】少なくとも一部が地面に埋設される境界ブロック９の側面に取り付け可能で横長な突起部材１であって、境界ブロック９の側面１０ａに接続される取付面２と、取付面２から境界ブロック９とは反対側に向けて延在し、且つ縦方向の断面において取付面２との間の外角θ１が鋭角になる第１の傾斜面３と、を有する。【選択図】図２
2018003377.tif 000002
【特許請求の範囲】
【請求項１】
少なくとも一部が地面に埋設される建設用構造体の側面に取り付け可能で横長な突起部材であって、
前記建設用構造体の側面に接続される取付面と、前記取付面から前記建設用構造体とは反対側に向けて延在し、且つ縦方向の断面において前記取付面との間の外角が鋭角になる傾斜面と、を有することを特徴とする突起部材。
【請求項２】
少なくとも一部が地面に埋設される建設用構造体であって、
請求項１に記載の突起部材が前記側面に取り付けられたことを特徴とする建設用構造体。
【請求項３】
少なくとも一部が地面に埋設され、且つ側面の少なくとも一部が舗装材により覆われた建設用構造体の前記舗装材との境界に、前記建設用構造体から前記舗装材の内部に向けて前記側面に対して斜めに突出する突起部材を配置して、前記境界に防草機能を追加する防草機能追加方法であって、
前記舗装材の一部を取り除いて、前記建設用構造体の側面を露出させる露出工程と、
前記建設用構造体の側面に突起部材を取り付ける取付工程と、
前記舗装材を取り除いた部分に新たに舗装材を充填して、前記建設用構造体の側面及び突起部材を新たな舗装材の内部に埋設する埋設工程と、
を含むことを特徴とする防草機能追加方法。
【請求項４】
前記取付工程において、前記突起部材を前記建設用構造体の側面から斜め上方に向いた姿勢に取り付けることを特徴とする請求項３に記載の防草機能追加方法。
【発明の詳細な説明】
【技術分野】
【０００１】
本発明は、地面に埋設されたブロックや側溝等の建設用構造体とコンクリートやアスファルト等の舗装材との境界における防草を目的とする突起部材、建設用構造体、および、防草機能追加方法に関する。
【背景技術】
【０００２】
車道や歩道等の境界や車道の中央分離帯を仕切る部分等には、コンクリート製の境界ブロック、縁石、側溝等の建設用構造体が設置されている。このような建設用構造体が設置された道路は、例えば、建設用構造体を路盤に載置して道路を仕切った後、建設用構造体の側方にコンクリートやアスファルト等の舗装材を打設することで形成される。このような構造において、従来では、建設用構造体と舗装材との間に経年変化等による隙間が生じ、この隙間から雑草等の草木（植物）が繁殖する虞があった。例えば、風雨により建設用構造体と舗装材との間に植物の種子が運ばれて、この間で植物の種子が発芽する。或いは、舗装材を打設する前の路盤等に植物の種子が混入し、この種子が舗装材を打設した後に発芽する。そして、発芽した種子が、建設用構造体と舗装材との間の隙間に沿って成長し、路面から外側に進出する。このような、植物の成長を抑制するため、植物の有する屈光性（植物の茎や葉が上方に伸びようとする性質）及び屈地性（植物の根が下方に伸びようとする性質）を利用して、植物の繁殖を抑制する境界ブロックが開発されている（特許文献１参照）。
【先行技術文献】
【特許文献】
【０００３】
【特許文献１】特開２００４−１６９５４４号公報
【発明の概要】
【発明が解決しようとする課題】
【０００４】
しかしながら、既に道路に設置された境界ブロックを特許文献１に開示されるような構造を有する境界ブロックに置き換えることは、作業性の面及び費用の面から現実的でない。すなわち、新たな境界ブロックを作製する手間及び費用がかかるだけでなく、設置された既設の境界ブロックを取り除く手間及び費用がかかることになる。
【０００５】
本発明は、このような事情に鑑みてなされたものであり、その目的は、既設の建設用構造体を取り外すことなく植物の繁殖を抑制することができる突起部材、建設用構造体、および、防草機能追加方法を提供することにある。
【０００６】
本発明は、上記した目的を達成するために提案されたもので、請求項１に記載のものは、少なくとも一部が地面に埋設される建設用構造体の側面に取り付け可能で横長な突起部材であって、
前記建設用構造体の側面に接続される取付面と、前記取付面から前記建設用構造体とは反対側に向けて延在し、且つ縦方向の断面において前記取付面との間の外角が鋭角になる傾斜面と、を有することを特徴とする突起部材である。
【０００７】
請求項２に記載のものは、少なくとも一部が地面に埋設される建設用構造体であって、
請求項１に記載の突起部材が前記側面に取り付けられたことを特徴とする建設用構造体である。
【０００８】
請求項３に記載のものは、少なくとも一部が地面に埋設され、且つ側面の少なくとも一部が舗装材により覆われた建設用構造体の前記舗装材との境界に、前記建設用構造体から前記舗装材の内部に向けて前記側面に対して斜めに突出する突起部材を配置して、前記境界に防草機能を追加する防草機能追加方法であって、
前記舗装材の一部を取り除いて、前記建設用構造体の側面を露出させる露出工程と、
前記建設用構造体の側面に突起部材を取り付ける取付工程と、
前記舗装材を取り除いた部分に新たに舗装材を充填して、前記建設用構造体の側面及び突起部材を新たな舗装材の内部に埋設する埋設工程と、
を含むことを特徴とする防草機能追加方法である。
【０００９】
請求項４に記載のものは、前記取付工程において、前記突起部材を前記建設用構造体の側面から斜め上方に向いた姿勢に取り付けることを特徴とする請求項３に記載の防草機能追加方法である。
【発明の効果】
【００１０】
請求項１に記載の発明によれば、突起部材を既設の建設用構造体の側面に取り付けて当該側面に舗装材を打設すれば、突起部材及び建設用構造体と舗装材との境界で植物が成長しようとしても、傾斜面と舗装材との境界でこの植物の成長を阻害できる。具体的には、傾斜面よりも上方で発芽した植物の根が屈地性により下方に伸びようとしても、傾斜面と舗装材との境界で下方に成長することを阻害できる。また、傾斜面よりも下方で発芽した植物の茎や葉が屈光性により上方に伸びようとしても、傾斜面と舗装材との境界で上方に成長することを阻害できる。その結果、既設の建設用構造体を取り外すことなく、既設の建設用構造体と舗装材との間で植物が繁殖することを抑制できる。
【００１１】
請求項２に記載の発明によれば、舗装材との境界における植物の繁殖を抑制できる建設用構造体を簡単に作成できる。
【００１２】
請求項３に記載の発明によれば、既設の建設用構造体を取り外すことなく、当該建設用構造体と舗装材との間で植物が繁殖することを抑制できる。
【００１３】
請求項４に記載の発明によれば、傾斜面よりも上方で発芽した植物の根の伸びを一層抑制でき、植物の繁殖を一層抑制できる。また、突起部材の下方に舗装材を充填し易くなり、作業効率が向上する。
【図面の簡単な説明】
【００１４】
【図１】突起部材の正面図である。
【図２】突起部材の斜視図である。
【図３】突起部材が取り付けられた境界ブロックを説明する道路の断面図である。
【図４】突起部材の既設の境界ブロックへの取り付け方法を説明する断面図である。
【図５】突起部材の既設の境界ブロックへの取り付け方法を説明する断面図である。
【図６】突起部材の既設の境界ブロックへの取り付け方法を説明する断面図である。
【図７】突起部材の既設の境界ブロックへの取り付け方法を説明する断面図である。
【図８】第２の実施形態における突起部材が取り付けられた境界ブロックを説明する断面図である。
【図９】突起部材が取り付けられた側溝を説明する断面図である。
【図１０】突起部材が取り付けられた建築物の基礎を説明する断面図である。
【発明を実施するための形態】
【００１５】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、各実施形態に示す突起部材１、境界ブロック９、および、道路の構造等の寸法は、説明の都合上、実際の寸法、縮尺と異なる場合がある。また、図１〜図８に示す実施形態では、地面に埋設される建設用構造体の一例として、歩道１１と車道１２との境界に配置される境界ブロック９を例に挙げて説明する。
【００１６】
図１は、既設の境界ブロック９に取り付けられる突起部材１の正面図である。図２は、この突起部材１の斜視図である。図３は、突起部材１が取り付けられた境界ブロック９を説明する道路の断面図である。
【００１７】
図１及び図２に示すように、突起部材１は、境界ブロック９の長手方向に沿って横長（長尺）に形成された部材であり、縦方向の断面が略三角形状を呈する。この突起部材１は、境界ブロック９の側面１０ａに接続され、境界ブロック９の側面１０ａに沿って平坦な取付面２と、取付面２の上端から斜め上方に延在し、縦方向の断面において当該取付面２との間の外角θ１が鋭角になる第１の傾斜面３（本発明における傾斜面に相当）と、取付面２の下端から斜め上方に延在し、縦方向の断面において当該取付面２との間の外角θ２が鈍角になる第２の傾斜面４と、を有している。すなわち、本実施形態における第１の傾斜面３及び第２の傾斜面４は、取付面２から当該取付面２とは反対側（すなわち、境界ブロック９とは反対側）に向けて異なる角度で斜め上方に延在している。そして、第１の傾斜面３が突起部材１の上側の面を構成し、第２の傾斜面４が突起部材１の下側の面を構成する。
【００１８】
また、本実施形態においては、第１の傾斜面３と第２の傾斜面４とが交差する部分、及び、取付面２と第２の傾斜面４とが交差する部分に面取り加工が施されている。特に、第１の傾斜面３と第２の傾斜面４とが交差する部分は、角が丸められたＲ面取り加工が施されている。なお、本実施形態における突起部材１は、例えば、長さ（すなわち、長手方向の寸法）が約１．２ｍ、幅（すなわち、短手方向の寸法）が約３５ｍｍ、高さ（すなわち、第２の傾斜面４の下端から上端までの鉛直方向に沿った方向の寸法）が約６０ｍｍ、取付面２と第１の傾斜面３との間の外角θ１が約５５°になるように形成される。なお、突起部材１の各部の寸法は、例示した値に限られず、現場の構造等に合わせて適宜に設定し得る。また、このような突起部材１は、プラスチック等の樹脂、コンクリート、金属等で形成できる。
【００１９】
次に、このような突起部材１が取り付けられた境界ブロック９の施工例について説明する。本実施形態の境界ブロック９は、図３に示すように、歩道１１と車道１２との境界に配置されている。また、この境界ブロック９は、歩道１１側の側面１０ａ全体が地面（詳しくは歩道１１側の舗装路）の内部に埋設される一方、車道１２側の側面１０ｂの上部が地面（詳しくは車道１２側の舗装路）の内部に埋設されず、露出されるように配置されている。さらに、境界ブロック９の歩道１１側の側面１０ａは、鉛直方向に沿った鉛直面となっているのに対し、車道１２側の側面１０ｂは上面から僅かに下り傾斜した傾斜面となっている。なお、本実施形態の歩道１１においては、境界ブロック９の側面１０ａの高さ方向の途中まで路盤１３で形成され、この路盤１３上にアスファルトやコンクリート等の舗装材１４ａが積層された構造になっている。また、舗装材１４ａの上面と境界ブロック９の上面とは、略同じ高さに揃えられている。さらに、本実施形態の車道１２においては、境界ブロック９の下端に揃えて路盤１３が整地され、この路盤１３上にアスファルトやコンクリート等の舗装材１４ｂが境界ブロック９の側面１０ｂの高さ方向の途中まで積層された構造になっている。
【００２０】
そして、突起部材１は、境界ブロック９の歩道１１側の側面１０ａのうち、歩道１１側の舗装材１４ａが積層されている領域、換言すると、歩道１１側の舗装材１４ａに覆われている領域に取り付けられている。本実施形態では、第１の傾斜面３が上方となる姿勢で、取付面２を境界ブロック９の側面１０ａに接続（固定）している。舗装材１４ａは、この突起部材１の第１の傾斜面３及び第２の傾斜面４に接するように、突起部材１の周囲に充填されている。要するに、舗装材１４ａにより覆われた境界ブロック９の側面１０ａの当該舗装材１４ａとの境界に、境界ブロック９から舗装材１４ａの内部に向けて側面１０ａに対して斜め上方に突出する突起部材１が配置されている。このような道路の構造は、新規に境界ブロックを配置して道路を舗装する際に、突起部材１が取り付けられた新規の境界ブロックを使用することで形成できるほか、既に道路に設置された境界ブロック９に対して後から突起部材１を取り付けることで形成できる。後者の場合、詳しくは後述するが、突起部材１を既設の境界ブロック９の側面１０ａに取り付けて当該側面１０ａに舗装材１４ａを打設することで、上記のような構造の道路を形成できる。
【００２１】
このように、突起部材１の周囲に舗装材１４ａが充填された構造とすることで、突起部材１及び境界ブロック９の側面１０ａと舗装材１４ａとの境界で植物が成長しようとしても、第１の傾斜面３と舗装材１４ａとの境界でこの植物の成長を阻害できる。具体的には、第１の傾斜面３よりも上方で発芽した植物の根が屈地性により下方に伸びようとしても、第１の傾斜面３と舗装材１４ａとの境界が先端に向かって斜め上向きに延在しているので、下方に成長し続けることを阻害できる。また、第１の傾斜面３よりも下方で発芽した植物の茎や葉が屈光性により上方に伸びようとしても、第１の傾斜面３と舗装材１４ａとの境界で上方に成長し続けることを阻害できる。その結果、境界ブロック９と舗装材１４ａとの間で植物が繁殖することを抑制できる。特に、既設の境界ブロック９に突起部材１を取り付けることで、既設の境界ブロック９を取り外すことなく、植物が繁殖することを抑制できる。すなわち、既設の境界ブロック９に防草機能を追加することができる。これにより、新たな境界ブロックを作製する手間及び費用や、設置された既設の境界ブロックを取り除く手間及び費用等を無くすことができる。さらに、新たに境界ブロックを作製する際においても、境界ブロックに突起部材１を取り付けるだけで防草機能を追加することができる。すなわち、舗装材１４ａとの境界における植物の繁殖を抑制できる境界ブロックを簡単に作成できる。
【００２２】
次に、図４〜図７を用いて、既設の境界ブロック９に突起部材１を取り付ける方法、すなわち、既設の境界ブロック９に防草機能を追加する防草機能追加方法について説明する。図４〜図７は、既設の境界ブロック９へ突起部材１を取り付ける際における各工程を表した模式図である。まず初めに、露出工程において、舗装材１４ａの一部を取り除いて、既設の境界ブロック９の側面１０ａを露出させる。具体的には、図４に示すように、突起部材１を取り付ける側である歩道１１側の舗装材１４ａに、カッター等を用いて舗装材１４ａの厚さ方向に貫通した切れ目１６を入れる。その後、図５に示すように、切れ目１６と境界ブロック９との間の舗装材１４ａを崩しながら、除去する。これにより、境界ブロック９の側方に空間１７が形成され、この空間１７内に境界ブロック９の側面１０ａの一部が露出する。
【００２３】
次に、境界ブロック９の側面１０ａに突起部材１を取り付ける取付工程に移行する。例えば、空間１７内に露出した境界ブロック９の側面１０ａを清掃し、この境界ブロック９の側面１０ａにプライマーを塗布した後、当該境界ブロック９の側面１０ａ、又は、突起部材１の取付面２、或いは、その両方に接着剤等を塗布して突起部材１を境界ブロック９の側面１０ａに接着する。本実施形態では、図６に示すように、突起部材１を境界ブロック９の側面１０ａから斜め上方に向いた姿勢に取り付ける。そして、突起部材１が境界ブロック９に固定されたならば、図７に示す埋設工程において、空間１７（すなわち、露出工程において舗装材１４ａを取り除いた部分）に新たに舗装材１４ａ′を充填して、境界ブロック９の側面１０ａ及び突起部材１を新たな舗装材１４ａ′の内部に埋設する。すなわち、空間１７内に流体状の舗装材１４ａ′を流し込み、当該空間１７内を舗装材１４ａ′で満たす。そして、コテやローラー等を用いて、舗装材１４ａ′の上面を平らに均した後、当該舗装材１４ａ′を乾燥させる。これにより、図３に示すような、道路構造を作製できる。
【００２４】
このように、既設の境界ブロック９に突起部材１を簡単に取り付けることができるため、大規模な工事をすることなく、境界ブロック９と舗装材１４ａとの間で植物が繁殖することを抑制できる。すなわち、既設の境界ブロック９に容易に防草機能を追加することができる。要するに、設置された既設の境界ブロック９を取り除き、新たな境界ブロックを設置する手間及び費用等を無くすことができる。また、突起部材１を境界ブロック９の側面１０ａから斜め上方に向いた姿勢に取り付けたので、傾斜面よりも上方で発芽した植物の根の伸びを一層抑制でき、植物の繁殖を一層抑制できる。さらに、空間１７内に舗装材１４ａ′を充填する際に、突起部材１の下方まで舗装材１４ａ′を行き渡らせ易くなる。
【００２５】
ところで、上記した第１の実施形態では、突起部材１を境界ブロック９の側面１０ａから斜め上方を向いた姿勢に取り付けたが、これには限られない。図８に示す第２の実施形態では、突起部材１を境界ブロック９の側面１０ａから斜め下方を向いた姿勢に取り付けられている。すなわち、第１の実施形態における突起部材１が上下反転した状態で、境界ブロック９の側面１０ａに取り付けられている。このため、本実施形態では、第１の傾斜面３が突起部材１の下側の面を構成し、第２の傾斜面４が突起部材１の上側の面を構成する。なお、その他の構成、及び、既設の境界ブロック９に突起部材１を取り付ける方法は、上記した第１の実施形態と同じであるため、説明を省略する。
【００２６】
そして、本実施形態においても、突起部材１及び境界ブロック９の側面１０ａと舗装材１４ａとの境界で植物が成長しようとしても、第１の傾斜面３と舗装材１４ａとの境界でこの植物の成長を阻害できる。すなわち、第１の傾斜面３よりも上方で発芽した植物の根が屈地性により下方に伸びようとしても、第１の傾斜面３と舗装材１４ａとの境界で下方に成長することを阻害できる。また、第１の傾斜面３よりも下方で発芽した植物の茎や葉が屈光性により上方に伸びようとしても、第１の傾斜面３と舗装材１４ａとの境界で上方に成長することを阻害できる。その結果、境界ブロック９と舗装材１４ａとの間で植物が繁殖することを抑制できる。
【００２７】
なお、上記した第１の実施形態及び第２の実施形態では、境界ブロック９の歩道１１側の側面１０ａに突起部材１を取り付けたが、これには限られない。境界ブロック９の車道１２側の側面１０ｂに突起部材１を取り付けることもできる。すなわち、突起部材１を境界ブロック９の側面に取り付けて、当該突起部材１の全体を舗装材で覆うことができれば、何れの面に付けてもよい。
【００２８】
また、上記した第１の実施形態及び第２の実施形態では、建設用構造体の一例として、歩道１１と車道１２との境界に配置される境界ブロック９を挙げ、この境界ブロック９に突起部材１を取り付ける構成を例示したが、これには限られない。本発明における突起部材１は、少なくとも一部が地面に埋設され、且つ側面の少なくとも一部が舗装材により覆われる建設用構造体であれば、どのようなものでも取り付けることができる。例えば、図９に示すその他の実施形態では、歩道や車道等の道路２８に埋設されるコンクリート製の側溝２０に突起部材１が取り付けられている。すなわち、この実施形態では、側溝２０が建設用構造体に相当する。
【００２９】
具体的には、図９に示すように、側溝２０は、側溝本体２１と蓋２２とを備えている。側溝本体２１の内部には、上面側に開放された空間である排水路２３が形成されている。蓋２２は、この排水路２３の上面開口を塞ぐように、側溝本体２１の上面側に配置されている。そして、この蓋２２により側溝２０の上面が画成されている。また、本実施形態における側溝２０の側壁２４は、鉛直方向に沿って形成された下端部２５と、同じく鉛直方向に沿って形成され、下端部２５よりも外側に位置する上端部２７と、これらを接続する、鉛直方向に対して傾斜した傾斜部２６と、から構成されている。側壁２４のうち下端部２５及び傾斜部２６は、路盤２９に埋設されている。また、側壁２４のうち上端部２７は、路盤２９上に積層された舗装材３０で覆われている。そして、側溝２０の両側の側壁２４の上端部２７に、突起部材１が取り付けられている。本実施形態においても、突起部材１は、側溝２０の側壁２４から舗装材３０の内部に向けて斜め上方に突出する姿勢に取り付けられている。そして、この突起部材１の周囲に舗装材３０が充填されている。これにより、本実施形態においても、突起部材１及び側溝２０の側壁２４と舗装材３０との境界で植物が成長しようとしても、第１の傾斜面３と舗装材３０との境界でこの植物の成長を阻害できる。また、既設の側溝２０に突起部材１を簡単に取り付けられるため、既設の側溝２０を取り除き、新たな側溝２０を設置するという大規模な工事をすることなく、容易に防草機能を追加することができる。
【００３０】
さらに、図１０に示すその他の実施形態では、建築物３６の基礎３４に突起部材１が取り付けられている。すなわち、この実施形態では、建築物３６の基礎３４が建設用構造体に相当する。具体的には、図１０に示すように、地盤３３の上にコンクリート製の基礎３４が形成され、その上に建築物３６が建築されている。また、この建築物３６の外側における庭や道路等の舗装面３７は、地盤３３の上に舗装材３８を舗装してなる。そして、突起部材１は、この建築物３６の基礎３４の側面３５のうち舗装材３８に覆われている部分に取り付けられている。本実施形態においても、突起部材１は、基礎３４の側面３５から舗装材３８の内部に向けて斜め上方に突出する姿勢に取り付けられている。そして、この突起部材１の周囲に舗装材３８が充填されている。これにより、本実施形態においても、突起部材１及び基礎３４の側面３５と舗装材３８との境界で植物が成長しようとしても、第１の傾斜面３と舗装材３８との境界でこの植物の成長を阻害できる。また、既設の建物に容易に防草機能を追加することができる。
【００３１】
なお、上記した側溝２０や建築物３６の基礎３４に突起部材１を取り付ける場合においても、図８に示す第２の実施形態のように、突起部材１を側溝２０や建築物３６の基礎３４から斜め下方に突出した姿勢に取り付けることができる。また、突起部材１は、建設用構造体の長さに応じて、複数一連に連結して配置することができる。さらに、突起部材としては、縦方向の断面が略三角形状に形成されたものを例示したが、これには限られない。例えば、突起部材の縦方向の断面の形状を、台形状や平行四辺形状等の四角形状、多角形状、楕円形状等にすることもできる。要するに、取付面との間の外角が鋭角になる傾斜面を有していれば、どのような形状であっても良い。そして、本発明は上記した実施形態に限らず、特許請求の範囲内での全ての変更が含まれる。
【符号の説明】
【００３２】
１    突起部材
２    取付面
３    第１の傾斜面
４    第２の傾斜面
９    境界ブロック
１０ａ、１０ｂ    側面
１１    歩道
１２    車道
１３    路盤
１４ａ、１４ｂ    舗装材
１６    切れ目
１７    空間
２０    側溝
２１    側溝本体
２２    蓋
２３    排水路
２４    側壁
２５    下端部
２６    傾斜部
２７    上端部
２８    道路
２９    路盤
３０    舗装材
３３    地盤
３４    基礎
３５    側面
３６    建築物
３７    舗装面
３８    舗装材
【図１】
2018003377.tif 000003
【図２】
2018003377.tif 000004
【図３】
2018003377.tif 000005
【図４】
2018003377.tif 000006
【図５】
2018003377.tif 000007
【図６】
2018003377.tif 000008
【図７】
2018003377.tif 000009
【図８】
2018003377.tif 000010
【図９】
2018003377.tif 000011
【図１０】
2018003377.tif 000012